(57)【要約】【課題】Ｈ形鋼に摩擦抵抗上昇手段を設けることによって、Ｈ形鋼とコンクリートとの摩擦抵抗を大幅に上昇させることができるプレボーリングＨ形鋼杭を提供する。【解決手段】Ｈ形鋼の周囲をコンクリートで固めたものからなるプレボーリングＨ形鋼杭において、Ｈ形鋼１に、コンクリートとの摩擦抵抗を上昇させる摩擦抵抗上昇手段が設けられ、摩擦抵抗上昇手段は、Ｈ形鋼１のウェブに形成した開口１Ａからなっている。【選択図】図１
2010209546.tif 000002
【特許請求の範囲】
【請求項１】
Ｈ形鋼の周囲をコンクリートで固めたものからなるプレボーリングＨ形鋼杭において、前記Ｈ形鋼に、前記コンクリートとの摩擦抵抗を上昇させる摩擦抵抗上昇手段を設けたことを特徴とするプレボーリングＨ形鋼杭。
【請求項２】
前記摩擦抵抗上昇手段は、前記Ｈ形鋼のウェブに形成した開口からなっていることを特徴とする、請求項１に記載のプレボーリングＨ形鋼杭。
【請求項３】
前記開口に鉄筋が固定されていることを特徴とする、請求項２に記載のプレボーリングＨ形鋼杭。
【請求項４】
前記摩擦抵抗上昇手段は、前記Ｈ形鋼のフランジ間に、前記Ｈ形鋼の長手方向に沿って間隔をあけて固定した鋼板からなっていることを特徴とする、請求項１に記載のプレボーリングＨ形鋼杭。
【請求項５】
前記摩擦抵抗上昇手段は、前記Ｈ形鋼のフランジ間に、前記Ｈ形鋼の長手方向に沿って固定した、開口が形成された鋼板からなっていることを特徴とする、請求項１に記載のプレボーリングＨ形鋼杭。
【請求項６】
前記開口に鉄筋が固定されていることを特徴とする、請求項５に記載のプレボーリングＨ形鋼杭。
【請求項７】
前記摩擦抵抗上昇手段は、前記Ｈ形鋼の底部に固定した鋼板からなっていることを特徴とする、請求項１に記載のプレボーリングＨ形鋼杭。
【請求項８】
前記摩擦抵抗上昇手段は、前記Ｈ形鋼の表面に、その長手方向に沿って固定した鉄筋からなっていることを特徴とする、請求項１に記載のプレボーリングＨ形鋼杭。
【発明の詳細な説明】
【技術分野】
【０００１】
この発明は、プレボーリングＨ形鋼杭、特に、支持力を上昇させることができるプレボーリングＨ形鋼杭に関するものである。
【背景技術】
【０００２】
仮設杭の一つとしてプレボーリングＨ形鋼杭が広く構築されている。このプレボーリングＨ形鋼杭の構築方法の概略を、図面を参照しながら説明する。
【０００３】
図７は、プレボーリングＨ形鋼杭の構築方法を示す図であり、（ａ）は、掘削状態を示す図、（ｂ）は、掘削が完了した状態を示す図、（ｃ）は、セメントミルクを注入する状態を示す図、（ｄ）は、セメントミルクの注入が完了した状態を示す図、（ｅ）は、Ｈ鋼を挿入する状態を示す図、（ｆ）は、施工が完了した状態を示す図である。
【０００４】
プレボーリングＨ形鋼杭を構築するには、先ず、図７（ａ）に示すように、オーガー１１によって地盤を支持層まで掘削する。この掘削は、掘削液（図示せず）を掘削孔１２内に注入しながら行う。掘削孔１２の径は、後述するＨ形鋼の外径より若干大きくする。次いで、同図（ｂ）に示すように、掘削が完了したら、同図（ｃ）に示すように、オーガー１１を掘削孔１２から引き上げる。これと同時にオーガー１１の先端からセメントミルク１３を掘削孔１２内に注入する。なお、セメントミルク以外にモルタルを注入しても良い。次いで、同図（ｄ）に示すように、セメントミルク１３の注入が完了したら、同図（ｅ）に示すように、セメントミルク１３が注入された掘削孔１２内にＨ形鋼１４を挿入する。そして、セメントミルク１３を硬化させれば、同図（ｆ）に示すように、Ｈ形鋼１４の周囲をコンクリート１５で固めたプレボーリングＨ形鋼杭の構築が完了する。
【発明の概要】
【発明が解決しようとする課題】
【０００５】
上述したプレボーリングＨ形鋼杭によれば、騒音や振動の発生が少なく、しかも、安価に仮設杭を構築することができる。
【０００６】
プレボーリングＨ形鋼杭の支持力は、Ｈ形鋼１４とその周囲のコンクリート１５との摩擦抵抗の大きさに依存する。
【０００７】
しかしながら、従来のプレボーリングＨ形鋼杭は、単に、Ｈ形鋼１４の周囲をコンクリート１５で固めたものなので、Ｈ形鋼１４とコンクリート１５との摩擦抵抗は小さく、大きな支持力は期待できないといった問題があった。
【０００８】
従って、この発明の目的は、大きな支持力を得ることができるプレボーリングＨ形鋼杭を提供することにある。
【課題を解決するための手段】
【０００９】
この発明は、下記を特徴とするものである。
【００１０】
請求項１に記載の発明は、Ｈ形鋼の周囲をコンクリートで固めたものからなるプレボーリングＨ形鋼杭において、前記Ｈ形鋼に、前記コンクリートとの摩擦抵抗を上昇させる摩擦抵抗上昇手段を設けたことに特徴を有する。
【００１１】
請求項２に記載の発明は、請求項１に記載のプレボーリングＨ形鋼杭において、前記摩擦抵抗上昇手段は、前記Ｈ形鋼のウェブに形成した開口からなっていることに特徴を有する。
【００１２】
請求項３に記載の発明は、請求項２に記載のプレボーリングＨ形鋼杭において、前記開口に鉄筋が固定されていることに特徴を有する。
【００１３】
請求項４に記載の発明は、請求項１に記載のプレボーリングＨ形鋼杭において、前記摩擦抵抗上昇手段は、前記Ｈ形鋼のフランジ間に、前記Ｈ形鋼の長手方向に沿って間隔をあけて固定した鋼板からなっていることに特徴を有する。
【００１４】
請求項５に記載の発明は、請求項１に記載のプレボーリングＨ形鋼杭において、前記摩擦抵抗上昇手段は、前記Ｈ形鋼のフランジ間に、前記Ｈ形鋼の長手方向に沿って固定した、開口が形成された鋼板からなっていることに特徴を有する。
【００１５】
請求項６に記載の発明は、請求項５に記載のプレボーリングＨ形鋼杭において、前記開口に鉄筋が固定されていることに特徴を有する。
【００１６】
請求項７に記載の発明は、請求項１に記載のプレボーリングＨ形鋼杭において、前記摩擦抵抗上昇手段は、前記Ｈ形鋼の底部に固定した鋼板からなっていることに特徴を有するものである。
【００１７】
請求項８に記載の発明は、請求項１に記載のプレボーリングＨ形鋼杭において、前記摩擦抵抗上昇手段は、前記Ｈ形鋼の表面に、その長手方向に沿って固定した鉄筋からなっていることに特徴を有するものである。
【発明の効果】
【００１８】
この発明によれば、プレボーリングＨ形鋼杭において、Ｈ形鋼に摩擦抵抗上昇手段を設けることによって、Ｈ形鋼とコンクリートとの摩擦抵抗を大幅に上昇させることができるといった効果がもたらされる。
【図面の簡単な説明】
【００１９】
【図１】この発明のプレボーリングＨ形鋼杭を示す部分斜視図である。
【図２】この発明の他のプレボーリングＨ形鋼杭を示す図であり、（ａ）は、部分斜視図、（ｂ）は、図（Ａ）のＡ−Ａ線断面図である。
【図３】この発明のさらに別のプレボーリングＨ形鋼杭を示す部分斜視図である。
【図４】この発明のさらに別のプレボーリングＨ形鋼杭を示す部分斜視図である。
【図５】この発明のさらに別のプレボーリングＨ形鋼杭を示す図であり、（ａ）は、部分斜視図、（ｂ）は、図（Ａ）のＡ−Ａ線断面図である。
【図６】この発明のさらに別のプレボーリングＨ形鋼杭を示す図であり、（ａ）は、正面図、（ｂ）は、部分斜視図である。
【図７】プレボーリングＨ形鋼杭の構築方法を示す図であり、（ａ）は、掘削状態を示す図、（ｂ）は、掘削が完了した状態を示す図、（ｃ）は、セメントミルクを注入する状態を示す図、（ｄ）は、セメントミルクの注入が完了した状態を示す図、（ｅ）は、Ｈ鋼を挿入する状態を示す図、（ｆ）は、施工が完了した状態を示す図である。
【発明を実施するための形態】
【００２０】
この発明のプレボーリングＨ形鋼杭の構築方法の一実施態様を、図面を参照しながら説明する。
【００２１】
図１は、この発明のプレボーリングＨ形鋼杭を示す部分斜視図である。
【００２２】
図１に示すように、この発明のプレボーリングＨ形鋼杭は、Ｈ形鋼１の周囲をコンクリート（図示せず）で固めたものからなるプレボーリングＨ形鋼杭において、Ｈ形鋼１のウェブに、摩擦抵抗上昇手段としての開口１Ａを間隔をあけて複数個、形成したものである。開口１Ａは、この例では円形であるが円形に限定されない。Ｈ形鋼１のウェブに開口１Ａを形成することによって、コンクリートが開口１Ａ内に入り込む結果、Ｈ形鋼１とコンクリートとの摩擦抵抗を大幅に上昇させることができる。
【００２３】
別の摩擦抵抗上昇手段としては、図２から図６に示すものであっても良い。
【００２４】
図２（ａ）、（ｂ）に示す摩擦抵抗上昇手段は、図１に示すＨ形鋼１の開口１Ａに鉄筋２を溶接したものであり、開口１Ａに鉄筋２を溶接することによって、さらに摩擦抵抗を上昇させることができる。
【００２５】
図３に示す摩擦抵抗上昇手段は、Ｈ形鋼１のフランジ間にＨ形鋼１の長手方向に沿って間隔をあけて鋼板３を溶接したものであり、鋼板３間の開口にコンクリートが入り込む結果、さらに摩擦抵抗を上昇させることができる。
【００２６】
図４に示す摩擦抵抗上昇手段は、Ｈ形鋼１のフランジ間を、間隔をあけて開口４Ａが形成された鋼板４により塞いだものであり、開口４Ａにコンクリートが入り込む結果、さらに摩擦抵抗を上昇させることができる。この場合、図示しないが開口４Ａに図２に示す摩擦抵抗上昇手段におけると同様に、鉄筋を溶接しても良い。
【００２７】
図５（ａ）、（ｂ）に示す摩擦抵抗上昇手段は、Ｈ形鋼１の底部に間隔をあけて固定した鋼板５からなるものであり、鋼板５が抵抗板となって、さらに摩擦抵抗を上昇させることができる。
【００２８】
図６（ａ）、（ｂ）に示す摩擦抵抗上昇手段は、Ｈ形鋼１のフランジ面に、Ｈ形鋼１の長手方向に沿って溶接により固定した鉄筋６からなるものであり、鉄筋６が抵抗となって、さらに摩擦抵抗を上昇させることができる。
【００２９】
なお、上述の摩擦抵抗上昇手段を互いに組み合わせても良い。
【００３０】
以上のように、この発明によれば、Ｈ形鋼の周囲をコンクリートで固めたものからなるプレボーリングＨ形鋼杭において、Ｈ形鋼に、コンクリートとの摩擦抵抗を上昇させる摩擦抵抗上昇手段を設けることによって、プレボーリングＨ形鋼杭を仮設杭として地盤に構築したときに大きな支持力を得ることができる。
【符号の説明】
【００３１】
１：Ｈ形鋼
１Ａ：開口
２：鉄筋
３：鋼板
４：鋼板
４Ａ：開口
５：鋼板
６：鉄筋
１１：オーガー
１２：掘削機
１３：セメントミルク
１４：Ｈ形鋼
１５：コンクリート
【図１】
2010209546.tif 000003
【図２】
2010209546.tif 000004
【図３】
2010209546.tif 000005
【図４】
2010209546.tif 000006
【図５】
2010209546.tif 000007
【図６】
2010209546.tif 000008
【図７】
2010209546.tif 000009